(57)【要約】【課題】要介護の人に対して介護者が履かせやすいように改良されたソックスの提供を課題とする。【解決手段】着用者の少なくともつま先を覆う前部材１１と、着用者の少なくとも踵を覆う後部材２１とを備える。前部材１１と後部材２１とは分離している。前部材１１は、前端側から後端側へ、つま先部１２と、前側筒部１３と、前部の口ゴム部１４とを備える。後部材２１は、前端側から後端側へ、後部の口ゴム部２２と、後側筒部２３と、踵部２４と、レッグ部２５とを備える。前部材１１の後端側を後部材２１の前端側に重ねて着用する。【選択図】図１
0003191997.tif 000002
【実用新案登録請求の範囲】
【請求項１】
着用者の少なくともつま先を覆う前部材と、着用者の少なくとも踵を覆う後部材とを備え、
前記前部材と前記後部材とは分離しており、且つ、前記前部材の後端側と前記後部材の前端側とを重ね合わせて着用することができることを特徴とする履かせやすいソックス。
【請求項２】
前記前部材は、つま先部と、前記つま先部から後方側に伸びる前側筒部と、前側筒部の後端に設けられた前部の口ゴム部を備え、
前記後部材は、後部の口ゴム部と、前記後部の口ゴム部から後方側に伸びる後側筒部と、前記後側筒部から踵部を介して後方側に伸びるレッグ部とを備え、前記後部材の後端側の上に前記前部材の前端側を重ね合わせて着用することができることを特徴とする請求項１記載の履かせやすいソックス。
【考案の詳細な説明】
【技術分野】
【０００１】
本考案はソックス、特に要介護の人に対して履かせやすく改良されたソックスに関する。
【背景技術】
【０００２】
ソックスを履く動作を容易になすために特許文献１の考案が提案されている。この特許文献１の考案は、５本足指付きの靴下に関して、手足の不自由な人でも、簡単に履けるようにすることを目的とするものであり、足指付近の足裏に、開口を一文字状に設けることを提案するものである。しかしながら、この特許文献１の考案は、足裏に一文字状の開口を設けたものに過ぎず、つま先を覆う前半分と踵を覆う後半分とが繋がっているため、ソックスを履く困難性を根本的に解決するものとは言えない。
【０００３】
他方、介護の現場を直視すると、全く歩けない人や歩行が極めて困難で短時間しか歩行しない人も多い。このような人の場合、歩行性よりも、就寝時など横たわっている際に足先が冷えることを防止するために、ソックスを履くことが多い。即ち、非歩行時の保温性を確保するためにソックスを着用している。
【０００４】
またこのような方の多くは、ソックスの着用を自ら行うことが困難であり、介護者によってソックスを履かせてもらっているのが現状である。ところが、ソックスは踵部にゴアラインを備えることによって屈曲していると共に。そのため、ソックスが踵の部分で引っ掛かったり、つま先がソックスの途中で引っ掛かったりすることも多く、うまく履かせることができない場合も多い。
【先行技術文献】
【特許文献】
【０００５】
【特許文献１】特開２００４−３０８０８６号公報
【考案の概要】
【考案が解決しようとする課題】
【０００６】
本考案は、要介護の人に対して介護者が履かせやすいように改良されたソックスの提供を課題とする。
【課題を解決するための手段】
【０００７】
本考案に係るソックスは、着用者の少なくともつま先を覆う前部材と、着用者の少なくとも踵を覆う後部材とが、分離した別部材とする。これによって、一般のソックスのように、踵から上の部分にソックスを履かせる際に、ソックスの前部分がつま先などに引っ掛かってしまって着用が困難になるという課題が解消される。そして、前部材の後端側と後部材の前端側とを重ね合わせて着用することによって、一般のソックスと同様の保温性を発揮することができる。
【考案の効果】
【０００８】
このように、本考案は、要介護の人に対して介護者が履かせやすいように改良されたソックスの提供を課題し得たものであるが、要介護の人のみならず、入院中の看者は勿論のこと、乳幼児や一般の小人や大人も着用するソックスに適用することも可能である。
【図面の簡単な説明】
【０００９】
【図１】本考案の実施の形態に係るソックスを示すもので、（Ａ）は全体の側面図、（Ｂ）は分離した状態の側面図。
【考案を実施するための形態】
【００１０】
以下、図面に基づき本考案の実施の形態を説明する。
この実施の形態に係るソックス１０は、前部材１１と後部材２１とが完全に分離した２つの独立した部材として構成されている。
（前部材１１について）
前部材１１については前端側から後方に向けて各部を説明する。
【００１１】
前部材１１は、先端が閉じられたつま先部１２を備える。この例ではつま先部１２は１つの袋状をなしているが、５本に分離したものなど、単数又は複数の足の指を個別に挿入できる構造であってもよい。
つま先部１２の後方側には前側筒部１３が後方に向けて形成されている。この前側筒部１３は、通常のソックスのインステップ及びソールの前半分程度に相当する部分であり、同様の方法で編成することができる。そして、前側筒部１３の後端には前部の口ゴム部１４が形成されている。前部の口ゴム部１４は通常のソックスの口ゴムと同様の構造を備え、適度の締付力を有するように形成されている。より具体的には、ゴム編みなどにより伸縮性の高い編成構造を備えたものであったり、ゴム糸やスパンデックス糸などの弾性糸を挿通編みしたものであったり、２重に折り重ねた部分であったりしたものにより構成することができる。
【００１２】
（後部材２１について）
後部材２１については後端側から前方に向けて各部を説明する。
後部材２１は、前端に後部の口ゴム部２２を備えることを一つの特徴とする。この後部の口ゴム部２２は前部の口ゴム部１４と同様の構成を採用することができる。但し、後部の口ゴム部２２を設けずに実施することもできる。
【００１３】
後部の口ゴム部の後方側には後側筒部２３が設けられ、前記後側筒部２３から踵部２４を介してレッグ部２５が形成されている。後側筒部２３は、通常のソックスのインステップ及びソールの後半分程度に相当する部分である。踵部２４は、通常のソックスの踵部と同様にゴアラインを備えることによってソックスを屈曲したものになすことができるが、ゴアラインを備えることは必須の要件ではない。レッグ部２５は着用者のレッグを覆うものであり、その後端には口ゴム部が設けられていないが、設けて実施することもできる。レッグ部２５の後端は開口しており、開口の周囲には必要に応じて弾性を有するゴム糸やスパンデックス糸などの弾性糸を挿通しておいてもよい。
【００１４】
（着用方法）
このソックス１０を着用する場合、まず、後部材２１を着用する。ソックス１０は着用者が自ら着用すればよいが、自ら着用することが困難な要介護の人には介護者が履かせるか適宜介助して履かせるようにする。後部材２１の着用に際しては、レッグ部２５の後端の開口から足先を挿入していくが、この後端の開口が着用者の踵付近に来た段階では、既に後部の口ゴム部２２の開口がつま先を通過している。その結果、レッグ部２５を着用者のレッグに引き上げる際にも、つま先に後部材２１が引っ掛かってしまうことがなく、容易に引き上げることができる。従って、踵部２４を着用者の踵を覆う状態にまで容易に着用することができる。より履かせやすくするために、レッグ部２５を予め丸めたり折り返したりしておく場合にも、後側筒部２３は通常のソックスよりも短いため、踵部２４を着用者の踵付近に容易に位置させることができる。
【００１５】
次に、前部材１１を着用するが、この場合も、そのまま着用してもよく、一旦二つ折りにして着用してもよい。つま先部１２が着用者のつま先まで着用した段階では、少なくとも前部の口ゴム部１４が後部の口ゴム部２２や後側筒部２３の前端寄り部分に重なるようになる。その結果、着用者の土踏まずの位置付近で、上記の重なった部分が位置することになる。これによって、前部の口ゴム部１４が後部材２１の前端側を押さえた状態で着用することができ、着用状態において前部材１１と後部材２１とが容易に分離してしまうことを抑制することかできる。さらに、後部の口ゴム部２２を設けることによって両者１１、２１の重なった開口端が安定する。特に、前後の両口ゴム部１４、２２を、その隣接する前後の筒部１３、２３よりも網地の厚みが大きなものとしておき、前部の口ゴム部１４を後側筒部２３の上に重なるようにして着用することも望ましい。これによって、厚みの大きな前部の口ゴム部１４が後部の口ゴム部２２よりも後方側に位置することになり、前部材１１が前方に脱げようとする際に、前後の両口ゴム部１４、２２同士が係合するようになり、前部材１１と後部材２１とが容易に分離してしまうことを抑制することかできる。
【００１６】
（前部の口ゴム部１４と後部の口ゴム部２２とについて）
前部の口ゴム部１４と後部の口ゴム部２２との締付力の強さは同一とすることも可能であるが、通常のソックスよりも比較的弱い締付力とすることも望ましい。これは、前部の口ゴム部１４の締付力は、前部材１１全体がつま先側に脱げたり、後部材２１との重なりが外れたりすることを防止することができれば、その目的が達成できるためである。特に、前部の口ゴム部１４と後部の口ゴム部２２とが共に土踏まずの位置にあるため、歩行することがなかったり、歩行する機会が少ない人にあっては、比較的弱い締付力とすることが望ましい。
【００１７】
その他、夏用や冬用にソックス１０の編地の糸や編成を異なるものとすることも可能であり、編地にパイルループやパイルループに起毛を施したものなどを採用することもできる。
【符号の説明】
【００１８】
１０  ソックス
１１  前部材
１２  つま先部
１３  前側筒部
１４  前部の口ゴム部
２１  後部材
２２  後部の口ゴム部
２３  後側筒部
２４  踵部
２５  レッグ部
【図１】
0003191997.tif 000003
【手続補正書】
【提出日】平成26年5月12日(2014.5.12)
【手続補正１】
【補正対象書類名】実用新案登録請求の範囲
【補正対象項目名】全文
【補正方法】変更
【補正の内容】
【実用新案登録請求の範囲】
【請求項１】
着用者の少なくともつま先を覆う前部材と、着用者の少なくとも踵を覆う後部材とを備え、
前記前部材と前記後部材とは分離しており、且つ、前記前部材の後端側と前記後部材の前端側とを重ね合わせて着用することができることを特徴とする履かせやすいソックス。
【請求項２】
前記前部材は、つま先部と、前記つま先部から後方側に伸びる前側筒部と、前記前側筒部の後端に設けられた前部の口ゴム部を備え、
前記後部材は、後部の口ゴム部と、前記後部の口ゴム部から後方側に伸びる後側筒部と、前記後側筒部から踵部を介して後方側に伸びるレッグ部とを備え、前記後部材の前記前端側の上に前記前部材の前記後端側を重ね合わせて着用することができることを特徴とする請求項１記載の履かせやすいソックス。